(57)【要約】二重螺旋に似た基本構造を有する１つ以上の回転可能な本体を有しているシステムを、種々の用途に有用な電磁気作用を与えるように配置し用いることができる。
2018537102.tif 000002
【特許請求の範囲】
【請求項１】
本体を支持するように構成された支持構造体を含むシステムであって、
前記本体は前記支持構造体に対して回転可能であり、
前記本体は、
互いに絡み合い、トロイダル形状を形成する二重螺旋形状に互いの周囲に螺旋状に巻き付けられる第１のランナー及び第２のランナーであって、前記トロイダル形状は１つの中心を有しており、前記トロイダル形状が、前記中心を含みかつ前記トロイダル形状を２つの同様な円環状片半分へと分割する平面によって二等分される、第１のランナー及び第２のランナーと、
前記第１のランナーに渦巻状に巻き付けられる第１の導電ワイヤと、
（ｉ）前記第１の導電ワイヤを通して交流を供給し、（ｉｉ）前記支持構造体に対して前記本体を毎秒１回転を超える回転数で回転させる動力を供給する１つ以上の動力源と、
を備え、
前記本体は、回転軸回りに回転可能であり、前記回転軸は前記平面内に位置しており、前記回転軸は前記中心と交差し、前記本体は、生物が前記中心の近傍に位置するように配置され、
前記システムは、供給される前記交流に応じて電磁気作用を生成して、該電磁気効果によって前記生物の成長を促進するように構成されているシステム。
【請求項２】
前記本体は毎秒特定回転数で回転し、前記特定回転数は前記交流の周波数に対応する、請求項１に記載のシステム。
【請求項３】
前記トロイダル形状は少なくとも完全な２巻きを有する、請求項１に記載のシステム。
【請求項４】
前記第１の導電ワイヤは前記第１のランナーから所定距離に配置されている、請求項１のシステム。
【請求項５】
前記第１の導電ワイヤは撚線である、請求項１に記載のシステム。
【請求項６】
前記１つ以上の電流源はさらに、前記交流が音響信号によって変調される搬送波を有するように構成されており、前記搬送波の周波数は前記音響信号よりも高い、請求項１のシステム。
【請求項７】
前記搬送波の前記周波数は１ＭＨｚ〜１ＧＨｚである、請求項６に記載のシステム。
【請求項８】
前記本体の前記二重螺旋形状の直径は４インチ〜１０フィートである、請求項１のシステム。
【請求項９】
成長の促進には、増加した成長速度、増加した最大成長レベル、増加した最大生産量、及び増加した飼料転換率のうちの１つ以上が含まれる、請求項１に記載のシステム。
【請求項１０】
１つ以上のデジタル・オーディオ・ファイルを含む情報の取得と、
前記取得情報の処理、及び前記取得情報に基づく処理信号の生成と、
前記処理信号に基づく音声信号の生成と、
を、コンピュータ可読命令を通じて実行するように構成された１つ以上の物理的プロセッサをさらに備えており、
前記交流の１つ以上の周波数が前記生成された音声信号の１つ以上の周波数に対応するように、前記交流は動的に制御されて、前記生成された音声信号に対応する、請求項１に記載のシステム。
【請求項１１】
特定の周波数を有する信号を生成するように構成された信号生成器をさらに備えており、
前記交流及び前記本体を回転させるために供給される前記動力の一方又は両方は、動的に制御されて、前記信号生成器によって生成される前記信号に対応する、請求項１に記載のシステム。
【請求項１２】
電磁気作用を与える方法であって、
本体が支持構造体に対して回転可能であり、前記本体を前記支持構造体によって支持することと、
前記本体は、互いに絡み合い、１つの中心を有するトロイダル形状を形成する二重螺旋形状に互いの周囲に螺旋状に巻き付けられる第１のランナー及び第２のランナーであって、前記トロイダル形状が、前記中心を含みかつ前記トロイダル形状を２つの同様な円環状片半分へと分割する平面によって二等分される第１のランナー及び第２のランナーを有し、前記本体はさらに、前記第１のランナーに渦巻状に巻き付けられる第１の導電ワイヤを有しており、本体を生物の近傍に配置することと、
前記第１の導電ワイヤを通して交流を誘導することと、
前記交流の誘導に応じて、前記生物の成長を促進する電磁気作用を前記生物に又は前記生物の近傍に生成することと、
前記支持構造体に対して前記本体を毎秒１回転を超える回転数で回転させることと、
を含む電磁気作用を与える方法であって、
前記本体は回転軸回りに回転可能であり、前記回転軸は前記平面内に位置しており、前記回転軸は前記中心と交差し、前記本体は、前記生物が前記中心の近傍に位置するように配置されている方法。
【請求項１３】
前記本体を回転させることは、前記本体を毎秒特定の回転数で回転させることを含み、前記特定の回転数は前記交流の周波数に対応する、請求項１２に記載の方法。
【請求項１４】
前記本体を配置することは、少なくとも完全な２巻きを有する前記トロイダル形状を形成することを含む、請求項１２に記載の方法。
【請求項１５】
前記本体を配置することは、前記第１のランナーから所定距離に前記第１の導電ワイヤを巻き付けることを含む、請求項１２に記載の方法。
【請求項１６】
前記第１の導電ワイヤを巻き付けることは、前記第１の導電ワイヤを撚線に撚ることを含む、請求項１５に記載の方法。
【請求項１７】
前記交流を誘導することは、前記交流が音響信号によって変調される搬送波を有するよう実行され、前記搬送波の周波数は前記音響信号よりも高い、請求項１２に記載の方法。
【請求項１８】
前記搬送波の前記周波数は１ＭＨｚ〜１ＧＨｚである、請求項１７に記載の方法。
【請求項１９】
前記電磁気作用を生成することは、増加した成長速度、増加した最大成長レベル、増加した最大生産量、及び増加した飼料転換率のうちの１つ以上によって前記生物の成長促進を実現する、請求項１２に記載の方法。
【請求項２０】
１つ以上のデジタル・オーディオ・ファイルを含む情報を取得することと、
前記取得情報を処理し、前記取得情報に基づいて処理信号を生成することと、
前記処理信号に基づいて音声信号を生成することと、
をさらに含み、
前記交流の誘導は、前記交流の１つ以上の周波数が前記生成された音声信号の１つ以上の周波数に対応するように、前記交流を動的に制御して前記生成された音声信号に対応させることを含む、請求項１２に記載の方法。
【請求項２１】
特定の周波数を有する信号を生成することをさらに含み、
前記交流及び前記本体を回転させるよう供給される動力の一方または両方は、前記信号に対応するように動的に制御される、請求項１２に記載の方法。
【請求項２２】
本体を支持するように構成された支持構造体を含むシステムであって、
前記本体は前記支持構造体に対して回転可能であり、
前記本体は、
互いに絡み合い、トロイダル形状を形成する二重螺旋形状に互いの周囲に螺旋状に巻き付けられる第１のランナー及び第２のランナーであって、前記トロイダル形状は中心を有しており、前記トロイダル形状が、前記中心を含みかつ前記トロイダル形状を２つの同様な円環状片半分へと分割する平面によって二等分される、第１のランナー及び第２のランナーと、
前記第１のランナーに螺旋状に巻き付けられる第１の導電ワイヤと、
前記第２のランナーに螺旋状に巻き付けられる第２の導電ワイヤと、
（ｉ）前記第１の導電ワイヤ及び前記第２の導電ワイヤを通して交流を供給し、（ｉｉ）前記支持構造体に対して前記本体を毎秒１回転を超える回転数で回転させる動力を供給する１つ以上の動力源と、
を備え、
前記本体は、回転軸回りに回転可能であり、前記回転軸は前記平面内に位置しており、前記回転軸は前記中心と交差し、前記本体は、生物が前記中心の近傍に位置するように配置され、
前記システムは、前記供給される１つ以上の交流に応じて電磁気作用を生成して、該電磁気効果によって前記生物の成長を促進するように構成されているシステム。
【発明の詳細な説明】
【技術分野】
【０００１】
本発明は、螺旋状に巻かれた１つ以上のランナーであって、その周囲に導電ワイヤが巻き付けられたランナーを有する回転可能な本体、この回転可能な本体を有する装置、この回転可能な本体を有する（電気）システム、及び／又はこの回転可能な本体を用いる用途に関する。この用途の例として、農業用途、医療用途、治療用途、通信用途、エネルギー生産、エネルギー変換、エネルギー転換、エネルギー伝達、アデノシン三リン酸（ＡＴＰ）生産、ＡＴＰ輸送、ＡＴＰ処理、材料科学、冶金学、化学処理、推進方式（propulsion）及び／又は他の用途を挙げられる。
【０００２】
１つ以上のランナーを有する本体をコイルと呼ぶこともできる。装置及びシステムは、例えば１つ以上のコイルを具体的な所定の配置で有することができる。本発明はさらに、この本体、装置及び／又はシステムの製造に関する。本発明はさらに、このような装置及びシステムの動作方法及びその用途に関する。本発明はさらに、電磁場等の電磁気作用を生成するように構成されたこのような装置及び／又はシステムに関する。本発明はさらに、電磁場等の電磁気作用を用いることにより生物及び生物由来物質の成長を促進するように構成されたこのような装置及び／又はシステムに関する。
【背景技術】
【０００３】
渦巻状に巻かれる導体は、ある電磁気特性及び／又は電磁気効果を呈し得ることで知られている。例えば、電磁コイルは、誘導子及び／又は変圧器の一部として機能できる上、確立された数々の有用な用途が電気回路にあることが知られている。１つ以上のコイルを用いて、例えば１つ以上の能動的電流源が１つ以上のコイルに動作可能に連結されると生じる電磁場及び／又は他の電磁気効果を利用することができる。
【発明の概要】
【０００４】
本発明の一局面は、１つ以上の回転可能な本体、１つ以上の動力源、１本以上の導電ワイヤ、及び／又は他の部品を備えるシステムに関する。本体はそれぞれに、支持構造体に対して回転可能とできる。本体はそれぞれに、互いに絡み合い螺旋状に巻き付けられた２本以上のランナーを有することができる。第１のランナーを、支柱によって第２のランナーに連結することができる、かつ／又は他の支持構造体を通じて定位置に保持することができる。個々のランナーは螺旋形状を有することができる。本体それぞれをトロイダル形状に配置することができる。１本以上の導電ワイヤを、少なくとも１本のランナーに渦巻状に巻き付けることができる。
【０００５】
上記導電ワイヤに特定の交流を供給することができる。実施例によっては、本体それぞれの導電ワイヤに、音響信号で変調された高周波搬送波を供給することができる。実施例によっては、回転速度を、つまり毎秒の回転数を、供給される交流の周波数に一致させるまたは対応させることができる。実施例によっては、異なる音響信号を上記システムにおける異なる本体に用いることができる。
【０００６】
本発明では、添付の特許請求の範囲に記載しているように、本体を支持するように構成された支持構造体と、１つ以上の動力源とを備えるシステムを提供する。上記本体は、上記支持構造体に対して回転可能である。上記本体は、第１のランナー及び第２のランナーと第１の導電ワイヤとを有する。該第１のランナー及び該第２のランナーは、互いに絡み合い、トロイダル(toroidal)形状を形成する二重螺旋形状に互いの周囲に螺旋状に巻き付けられる。該トロイダル形状は、１つの中心を有しており、該中心を含み、かつ該トロイダル形状を２つの同様の円環状片半分へと分割する平面によって二等分される。上記第１の導電ワイヤは、上記第１のランナーに渦巻状に巻き付けられる。上記１つ以上の動力源は、（ｉ）上記第１の導電ワイヤを通して交流を供給するとともに、（ｉｉ）上記支持構造体に対して上記本体を毎秒１回転を超える回転数で回転させる動力を供給する。上記本体は回転軸回りに回転可能であり、該回転軸は上記平面内に位置する。該回転軸は上記中心と交差する。上記本体は、生物が該中心の近傍に位置するように配置される。上記システムは、供給される交流に応じて電磁気作用を生成し、その電磁気効果によって上記生物の成長を促進するように構成されている。
【０００７】
一実施形態において、上記本体は毎秒特定の回転数で回転する。その特定回転数は上記交流の周波数に対応している。
【０００８】
一実施形態において、上記トロイダル形状は少なくとも完全な２巻きを有する。
【０００９】
一実施形態において、上記第１の導電ワイヤは上記第１のランナーから所定距離に配置される。
【００１０】
一実施形態において、上記第１の導電ワイヤは撚線である。
【００１１】
一実施形態において、上記１つ以上の電流源はさらに、上記交流が音響信号によって変調される搬送波を有するように構成される。該搬送波の周波数は音響信号よりも高い。好ましくは、該搬送波の周波数は１ＭＨｚ〜１ＧＨｚである。
【００１２】
一実施形態において、上記本体の上記二重螺旋形状の直径は４インチ〜１０フィートである。
【００１３】
一実施形態において、成長の促進には、増加した成長速度、増加した最大成長レベル、増加した最大生産量、及び増加した飼料転換率のうちの１つ以上が含まれる。
【００１４】
一実施形態において、上記システムはさらに１つ以上の物理的プロセッサを備える。該１つ以上の物理的プロセッサは、コンピュータ可読命令を通じて、１つ以上のデジタル・オーディオ・ファイルを含む情報の取得と、該取得情報の処理及び該取得情報に基づく処理信号の生成と、該処理信号に基づく音声信号の生成とを実行するように構成される。また、上記交流の１つ以上の周波数が生成された音声信号の１つ以上の周波数に対応するよう、該交流は動的に制御されて該生成された音声信号に対応する。
【００１５】
一実施形態において、上記システムはさらに、特定の周波数を有する信号を生成するように構成された信号生成器を備える。また、上記交流及び上記本体を回転させるよう供給される上記動力の一方又は両方は、該信号生成器によって生成される該信号に対応するよう動的に制御される。
【００１６】
本発明では、添付の特許請求の範囲に記載しているように、電磁気作用を与える方法を提供する。この方法は、本体を支持構造体によって支持することと、該本体を生物の近傍に配置することと、第１の導電ワイヤを通して交流を誘導することと、該交流の誘導に応じて、上記生物の成長を促進する電磁気作用を該生物にまたは生物の近傍に生成することと、上記支持構造体に対して上記本体を毎秒１回転を超える回転数で回転させることとを含む。このとき、上記本体は上記支持構造体に対して回転可能である。上記本体は、第１のランナー及び第２のランナーを有する。該第１のランナー及び該第２のランナーは、互いに絡み合い、１つの中心のあるトロイダル形状を形成する二重螺旋形状に互いの周囲に螺旋状に巻き付けられる。該トロイダル形状は、該中心を含み、かつ該トロイダル形状を２つの同様の円環状片半分へと分割する平面によって二等分される。上記本体はさらに、上記第１のランナーに渦巻状に巻き付けられる第１の導電ワイヤを有する。上記本体は回転軸回りに回転可能である。該回転軸は上記平面内に位置し、上記中心と交差する。上記本体は、上記生物が該中心の近傍に位置するように配置される。
【００１７】
一実施形態において、上記本体を回転させることは、該本体を毎秒特定の回転数で回転させることを含む。この特定の回転数は上記交流の周波数に対応する。好ましくは、上記本体を配置することは、少なくとも完全な２巻きを有するトロイダル形状を形成すること、又は、上記第１のランナーから所定距離に上記第１の導電ワイヤを巻き付けることを含む。理想的には、該第１の導電ワイヤを巻き付けることは、該第１の導電ワイヤを撚線に撚ることを含む。
【００１８】
一実施形態において、上記交流を誘導することは、該交流が音響信号によって変調された搬送波を有するよう実行される。該搬送波の周波数は該音響信号よりも高い。好ましくは、該搬送波の周波数は１ＭＨｚ〜１ＧＨｚである。
【００１９】
一実施形態において、上記電磁気作用を生成することは、増加した成長速度、増加した最大成長レベル、増加した最大生産量、及び増加した飼料転換率のうちの１つ以上によって生物の成長の促進を実現する。
【００２０】
一実施形態において、上記方法はさらに、１つ以上のデジタル・オーディオ・ファイルを含む情報を取得することと、該取得情報を処理し、該取得情報に基づいて処理信号を生成することと、該処理信号に基いて音声信号を生成することとを含む。また、上記交流を誘導することは、該交流の１つ以上の周波数が該生成された音声信号の１つ以上の周波数に対応するよう、該生成された音声信号に該交流を対応させるように該交流を動的に制御することを含む。
【００２１】
一実施形態において、上記方法はさらに、特定の周波数を有する信号を生成することを含む。また、上記交流及び上記本体を回転させるよう供給される動力の一方または両方は、該信号に対応するよう動的に制御される。
【００２２】
本発明では、添付の特許請求の範囲に記載しているように、本体を支持するように構成された支持構造体と、１つ以上の動力源とを備えるシステムを提供する。該本体は、該支持構造体に対して回転可能である。該本体は、第１のランナー及び第２のランナーと、第１の導電ワイヤと、第２の導電ワイヤと、１つ以上の動力源とを有する。該第１のランナー及び第２のランナーは、互いに絡み合い、トロイダル形状を形成する二重螺旋形状に互いの周囲に螺旋状に巻き付けられる。該トロイダル形状は１つの中心を有する。該トロイダル形状は、該中心を含み、かつ該トロイダル形状を２つの同様な円環状片半分へと分割する平面によって二等分される。上記第１の導電ワイヤは、上記第１のランナーに渦巻状に巻き付けられる。上記第２の導電ワイヤは、上記第２のランナーに渦巻状に巻き付けられる。上記１つ以上の動力源は、（ｉ）上記第１の導電ワイヤ及び第２の導電ワイヤに１つ以上の交流を供給するとともに、（ｉｉ）上記支持構造体に対して上記本体を毎秒１回転を超える回転数で回転させる動力を供給する。上記本体は回転軸回りに回転可能である。該回転軸は上記平面内に位置する。該回転軸は上記中心と交差する。上記本体は、生物が該中心の近傍に位置するように配置される。上記システムは、上記供給される１つ以上の交流に応じて電磁気作用を生成し、該電磁気効果によって上記生物の成長を促進するように構成される。
【００２３】
ここで用いる用語「農業」は、食品、繊維、バイオ燃料、医薬製品及び人間の生命活力を維持するかつ／又は高めるよう用いられる他の製品のための動物、植物、菌類及び他の生命形態のカルチベーションをいう。このカルチベーションを、農業用途と呼ぶこともできる。他の用途は、本開示の範囲内で想定される。例えば、この用途に、再生医療、幹細胞培養、創傷治癒、材料科学、冶金学、化学処理、推進方式（propulsion）及び／又は他の用途を含めることができる。
【００２４】
本開示のこれら及び他の目的、特徴と及び特性、さらには動作の方法、構造の関係する部品ならびに部材の組合せの機能及び製造の経済性は、以下の説明及び添付の特許請求の範囲から添付の図面を参照することによって明らかとなろう。同じ参照符号は異なる図を通して対応する部材を示している。なお、図面は例示の目的のみであって、いかなる限定をも定義しようとするものではないことは明確に理解されよう。明細書及び特許請求の範囲において使用する単数表現(a, an, the)は、特に文脈で明示的に記載しない限り、複数の対象物を含む。
【図面の簡単な説明】
【００２５】
【図１】トロイダル形状を示す。
【図２】螺旋形状を示す。
【図３】二重螺旋の形状に、絡み合い螺旋状に巻き付けられた２つのランナーであって、支柱によって連結かつ／又は支持されているランナーを有する例示的な本体を示す。
【図４】絡み合い螺旋状に巻き付けられた２つのランナーを有する例示的な本体であって、トロイダル形状を形成するように配置された本体を示す。
【図５】回転部品を有する例示的な本体を示す。
【図６Ａ】回転可能な本体を有するシステムの配置を示す。
【図６Ｂ】回転可能な本体を有するシステムの配置を示す。
【図７】回転可能な本体を有するシステムの配置を示す。
【図８】絡み合い螺旋状に巻き付けられた２つのランナーを有する例示的な本体を備えるシステムを示す。
【図９】１つ以上の実施例にかかる、電磁気作用を与えるかつ／又は１つ以上の生物の成長を促進する方法を示す。
【発明を実施するための形態】
【００２６】
図１は、トロイダル形状１０を示す。形状１０等のトロイダル形状は、円１１（図１に部分的に示す）を、円１１と同平面上にある軸１２を中心に三次元空間において回転させることにより形成することで形成できる。トロイダル形状１０を、略式にドーナツ形状又はベーグル形状と呼ぶこともできる。軸１２はトロイダル形状１０のドーナツ孔を通ると言うこともできる。トロイダル形状１０の表面は円環曲面でもよい。円１１は、点１３、点１３ａ及び他の複数の点を含むことができる。円１１が回転してトロイダル形状１０を形成すると、点１３は、平面を規定する円１４を描く。この平面は、軸１２に対して直交している。円１１上の異なる点はそれぞれ、トロイダル形状１０の表面に異なる円を描く。円１１が回転すると、点１３ａは円１４ａを描き、この円が１つの平面を定義する。この平面が、トロイダル形状１０を二等分し、軸１２に直交する平面となる。実施例によっては、特定の点１３ａ及び特定の円１４ａに関して、この規定された平面がトロイダル形状１０を、例えばベーグルを半分にするかのように、同様の、合同の、円形状の、及び／又は等大の半分へと二等分し、これにより、切断片の表面領域が数学的リング形状又は環形状となる（つまり相対的に半径が小さい第１の円が、完全に、相対的に半径が大きい第２の円の内側にあり、両方の円が同軸状である。この用語「相対的に」は第１の円と第２の円とを関連付けるために用いている）。
【００２７】
図２は、螺旋形状２０を示す。形状２０等の螺旋形状は、三次元空間にある曲線によって形成することができる。この曲線とは、その接線が任意の点において、軸２１と呼べる固定線（図２の「ｚ」であり、図２の「ｘ」軸及び「ｙ」軸の両方に対して直交）に一定角度をなす特徴を有する曲線である。完全な螺旋状の一巻きすなわち一螺旋状回転の幅を、軸２１に平行に測定した場合、ピッチ（図２の「Ｐ」）と呼ぶ。螺旋形状２０から軸２１までの最短距離を半径（図２の「ｒ」）と呼ぶ。螺旋形状２０は一定半径を有することができ、円螺旋と呼ぶことができる。なお、実施例によっては、図２に示す通り、軸２１と同様な軸を直線の代わりに曲線状とすることができる。
【００２８】
図３は例示的な本体３０を示す。本体３０は、二重螺旋の形状に絡み合い螺旋状に巻き付けられた２つのランナー、つまり第１のランナー３１及び第２のランナー３２を有する。このランナーはそれぞれ、複数の支柱３３によって連結かつ／又は支持されている。実施例によっては、この二重螺旋形状のランナーを他の支持構造体によって支持することもできる。この二重螺旋は２つの螺旋形状を有することができ、この２つはそれぞれが、図２に示すように螺旋形状２０と同様となり得る。なお、本体３０の形状は、デオキシリボ核酸（ＤＮＡ）の一般形状、例えば二重螺旋と類似している。螺旋形状は、図２及び図３に示すように直線軸を有する、又は例えば図４に示すように曲線軸を有することができる。
【００２９】
図４は、絡み合って螺旋状に巻き付けられた２つのランナー、つまり第１のランナー４１及び第２のランナー４２を、二重螺旋形状または形態で有する例示的な本体４０を示す。本体４０は、トロイダル形状を形成するよう配置されている。このトロイダル形状は図１に示したトロイダル形状１０と同様である。図４を参照すると、本体４０を、二重螺旋の軸を直線ではなく曲線状、例えば円又は楕円となるように配置することができる。本体４０のランナーを、複数の支持構造体４４によって支持することができる。本体４０の拡大部分を表し、ランナー４１のセクション４１ａを含む図４０ａに示すように、ワイヤ４５をランナー４１の周囲に巻き付けることができる。実施例によっては、ワイヤ４５を時計回りに巻き付けることができる。実施例によっては、ワイヤ４５を、特定のランナー、例えばランナー４１から所定距離に配置かつ／又は巻き付けることができる。実施例によっては、ワイヤ４５をランナー４１の周囲に複数回転で巻き付けることができる。このときワイヤ４５は、ランナー４１とワイヤ４５とが、複数回転それぞれの全体にわたって単一の一定距離で離間するように配置される。この単一の一定距離は、複数回転それぞれの全体にわたって不変である。
【００３０】
実施例によっては、ワイヤ４５を反時計回りに巻き付けることができる。ワイヤ４５を導電性とすることができる。ワイヤ４５を、拡大なしに図では見えないほどに細くすることができる。ワイヤ４５等のワイヤを、絶縁することも、絶縁しないことも、部分的に絶縁し部分的に絶縁しないこともでき、本明細書に含まれるあらゆる図に例示したすべてのワイヤについて同様である。ここで用いる「ワイヤ」は、１組の２本の撚線（ほとんど同じ意味で「撚線」と呼ぶ場合もある）を含むことができるが、１組の２本の撚線に限定されない。ワイヤ４６をランナー４２の周囲に、ワイヤ４５及びランナー４１と同様に巻き付けることができる。コネクタ４７を、撚線４５に電気的に連結することができる。例えば、図４に示す通り、撚線４５の両端をコネクタ４７に電気的に連結することができる。コネクタ４８を、撚線４６に電気的に連結することができる。例えば、図４に示す通り、撚線４６の両端をコネクタ４８に電気的に連結することができる。１つ以上の動力源及び／又は電流源（図４には図示せず）を、コネクタ４７及び／又はコネクタ４８に電気的に連結することができる。これにより、電流を撚線４５及び／又は撚線４６それぞれに供給して、電磁気作用（例えば電磁場）を本体４０の周囲に及び／又は近傍に生成することができる。
【００３１】
実施例によっては、システムは、本体４０と同様の本体を１つ以上有することができる。このシステムを、その１つ以上の本体の周囲及び／又は近傍に電磁作用を生成するかつ／又は生じさせるように構成することができる。この電磁気作用があるため、このシステムを、例えば生物の成長を促進するための農業用途に、及び／又は他の用途に用いることができる。実施例によっては、このシステムを生物の健康を改善かつ／又は促進するために用いることができる。図４に示す通り、限定するものではない例として、本体４０が略垂直となるように本体４０を配置することができる。例えば、本体４０のトロイダル形状を同様の、合同の、円形状の、及び／又は等大の半分へと二等分する平面（例えば図１に関連して説明した通り）を、この平面が略垂直となるように配置することができる。実施例によっては、本体４０のトロイダル形状を同様の、合同の、円形状の、及び／又は等大の半分へと二等分する平面（例えば図１に関連して説明した通り）を、この平面が略水平となるように配置することもできる。
【００３２】
実施例によっては、本体４０を、直径が約４インチ、約６インチ、約８インチ、約１０インチ、約１フィート、約１８インチ、約２フィート、約３０インチ、約３フィート、約４フィート、約５フィート、約６フィート、約７フィート、約８フィート、約９フィート、約１０フィート及び／又は他のサイズとなるよう構成することができる。実施例によっては、本体４０の直径を約２０インチとすることができる。実施例によっては、本体４０の直径を約５０又は６０インチとすることができる。
【００３３】
図５は、回転要素５１、５２を追加したことを除き、図４における本体４０と同様である例示的な回転可能な本体５０を示す。本体５０は、図５に図示されていない本体４０の部品を有することができる。この部品には、限定するものではないが、二重螺旋形状である、絡み合い螺旋状に巻き付けられた２つのランナーが含まれる。本体５０は、回転要素５１、５２を通る回転軸５４を有することができる。回転可能な本体５０は、例えば一方向５３に回転軸５４を中心に回転可能である。
【００３４】
図６Ａは、回転可能な本体６１、支持構造体６２、動力源６３、及び／又は他の部品を有するシステム６０の配置を示す。本体６１は、図４及び図５の本体４０及び／又は本体５０と同様のものとすることができる。本体６１は、図６Ａには図示されていない本体４０又は本体５０の部品を有することができる。その部品には、限定するものではないが、二重螺旋形状である、絡み合い螺旋状に巻き付けられた２つのランナー、導電ワイヤ、コネクタ、及び／又は他の部品が含まれる、なお、コネクタ及び電流源（この開示内の他の箇所に記載）等のいくつかの部品は図６Ａには示していないが、システム６０に含めることができる。支持構造体６２を、本体６１が支持構造体６２に対して回転可能となる方法で本体６１を支持するように構成することができる。動力源６３は、本体６１を、例えば駆動軸６５及び／又はスリップリング（図示せず）を介して回転軸回りに回転させる動力を供給するように構成することができる。実施例によっては、システム６０は、図５における回転要素５１及び／又は５２と同様又は同一の１つ以上の回転要素６４を有することができる。図６Ａを参照すると、動力源６３（及び／又は電流源等の他の動力源）をさらに、１つ以上の交流を本体６１に（特に、本体６１の螺旋状に巻き付けられたランナーに巻き付けられた導電ワイヤに）供給するように構成することができる。
【００３５】
図６Ｂは、図６Ａにおけるシステム６０と同様または同一であるシステム６０の配置を、別の角度で図示している。図６Ａに関して記載したものと同じ部品を図６Ｂに含めることができる。システム６０は、静止構造６６を本体６１の中心近傍に有することができる。実施例によっては、静止構造６６を処置室と呼ぶこともできる。静止構造６６を、本体６１が回転している間も静止状態に維持するように構成することができる。実施例によっては、静止構造６６を、生物を支える、保持する、かつ／又は載せるために用いることができる。この生物は、単に動物だけでなく、農業用途、医療用途、及び／又は他の用途において用いられる、いかなる増殖生命体（cultivated lifeform）でもよい。実施例によっては、この生物には、ニワトリ、ウシ、ブタ、子ヒツジ、ヤギ、鳥、魚、甲殻類、軟体動物、爬虫類及び／又は他の動物を含めることができる。実施例によっては、この生物には、試料、組織、幹細胞、生細胞、及び／又はシステム６０によって生成された電磁気作用を受けることによって役立つことができる他の（有機）物質を含めることができる。具体的には、これまでの試験では、プラナリアの再生期間（半分に切断した後）が、静止構造６６内に配置した場合に１７日から３日に短縮したことが示されている。図６Ａ／図６Ｂにおける生物の描写及び数は、どのようにも何らかを限定しようとするものではない。
【００３６】
図７は、図６Ａ〜図６Ｂにおけるシステム６０と同様または同一であるシステム７０の配置を、別の角度で図示している。図６Ａ〜図６Ｂに関して記載したものと同じ部品を図７に含めることができる。支持構造体６２を、本体６１が支持構造体６２に対して回転可能となる方法で本体６１を支持するように構成することができる。システム７０は、静止構造６６を本体６１の中心近傍に有することができる。 
【００３７】
図８は、１つ以上のプロセッサ１１０、ユーザインターフェース１２０、電子記憶装置１３０、コネクタ４７、４８、動力源１２、同一の円形状の軸を共有して絡み合い螺旋状に巻き付けられた２つのランナー（両ランナーとも、その周囲に渦巻状に巻き付けられた導電ワイヤを有する）を有する本体４０、及び／又は他の部品を有する例示的なシステム８０を示す。本体４０を、図４に示す本体４０と同様のものとすることができる。システム８０は、限定するものではないが図４、図５、図６Ａ〜図６Ｂ、図７を含む他の図に示した特徴及び／又は部品を有することができる。例えば、図８の本体４０を回転可能とできる。あるいは、及び／又は同時に、システム８０は、図６Ａの動力源６３と同様な動力源を含むことができる。
【００３８】
本体４０は、第１のランナー４１と第２のランナー４２とを有することができる。第１の導電性撚線を、第１のランナー４１に巻き付けるとともに、撚線端部４５ａ、４５ｃを介してコネクタ４７に電気的に連結させることができる。第２の導電性撚線を、第２のランナー４２に巻き付けるとともに、撚線端部４６ａ、４６ｃを介してコネクタ４８に電気的に連結させることができる。第１のランナー４１および第２のランナー４２に巻き付けられた撚線に１つ以上の電流が供給されて、電磁気作用（例えば電磁場）が本体４０の周囲および／又は近傍に生成されるように、コネクタ４７、４８を動力源１２に電気的に連結することができる。本体４０を、生物５５の近傍に配置することができる。一要素としての生物５５の記載（この場合はプラナリア）は、どのようにも限定することを意味するものではない。図示しないが、システム８０は、図６Ａの静止構造６６と同様又は同一の静止構造又は処置室を有することができる。実施例によっては、例えば本体４０が回転している間も、生物５５をこのような静止構造によって支持することができる。
【００３９】
システム及び／又は本体４０、５０、６０、７０、８０に関して、絡み合い螺旋状に巻き付けられた２つのランナーはいずれも、同じ軸を共有し、合同であり、かつ／又はその軸に沿って一平行移動分だけ（例えばピッチの半分）ずれることができる。
【００４０】
図４、図５、図６Ａ〜図６Ｂ、図７、図８に示したすべての本体に付加的な構造及び／又は特徴は、限定しない例として、発明名称を「二重螺旋導体(Double Helix Conductor)」として２０１４年２月１８日に発行された米国特許第８６５３９２５号に記載されているとみることができ、その内容全体を参照によって本開示に援用する。この特許公報をここでは「９２５特許」と呼ぶ場合もある。
【００４１】
図４、図５、図６Ａ〜図６Ｂ、図７、図８に示したすべての本体におけるランナーを、プラスチックと、銅、ニッケル、鉄、軟鉄、ニッケル合金を含む金属で鍍金されたプラスチックと、光ファイバー材料と、及び／又は他の材料（またはそれらの組み合わせ）とのうちの１つ以上から製造することができる。実施例によっては、１つ以上のランナーを非導電材料から製造されることもできる。
【００４２】
１インチ当たり及び／又はランナーの螺旋一巻き当たりの１組の撚線の巻数を、ここに記載するすべてのシステムに関する実施例の独特な寸法／特徴とすることができる。実施例によっては、撚線１インチ当たりの撚り数を、約２、約５、約１０、約２０、約５０、約１００、約１５０、約２００、約２５０、及び／又は他の適当な撚り数とすることができる。実施例によっては、交流の周波数持性及び／又はこれに対応して生成された電磁気作用または電磁場は、撚線の撚り数に基づく、比例する、かつ／又は他の方法でこれに関連することができる。例えば、１インチ当たりの撚り数が多ければ、交流ならびに／もしくはこれに対応して生成される電磁気作用及び／又は電磁場のより高い動作周波数に対応することができる（かつ／又はより高い動作周波数で用いることができる）。実施例によっては、複数の撚線（例えば、第１のランナーの周囲に巻き付けられた第１の撚線及び第２のランナーの周囲に巻き付けられた第２の撚線）を、同じ撚り方向、及び／又は異なる撚り方向とすることができる。実施例によっては、複数のワイヤ（例えば撚線）を、同じランナーに巻き付けることができる。実施例によっては、ワイヤを、１つ以上の支柱のうちの一部またはすべてに巻き付けることができる。
【００４３】
図４、図５、図６Ａ〜図６Ｂ、図７、図８に示したすべての本体が有する第１のランナー及び第２のランナーの周囲に巻き付けられた導電ワイヤに供給される電流を、同じ方向又は反対方向に流すことができる。交流については、０Ｈｚを超え約４０ＧＨｚまでの範囲の動作周波数が考えられる。図４、図５、図６Ａ〜図６Ｂ、図７、図８に示したすべての本体が有する第１のランナー及び第２のランナーの周囲に巻き付けられた導電ワイヤに対する動作周波数を、同じ又は異なるものとすることができる。供給される電流の他の電気的動作特性、例えば、位相、振幅、電力レベル及び／又は他の動作特性を同じ又は異なるものとすることができる。図４、図５、図６Ａ〜図６Ｂ、図７、図８に示したいずれの本体を用いるシステムを使用しても、１つ以上の本体の１本以上のワイヤに電力が供給されると生じる電磁場を利用することができる。
【００４４】
実施例によっては、本体４０の第１のランナー及び／又は第２のランナーに巻き付けられる導電ワイヤに、例えば２１６Ｈｚの第１の交流と、例えば８６４Ｈｚの第２の交流とが供給される。実施例によっては、本体４０に供給されるこれらの電流は、位相を１８０度ずらすことができる。第１及び第２の電流の供給により、４３２Ｈｚのうなり周波数（「Ａ」音(note)に対応）を生成することができる。実施例によっては、同様なアプローチにより、「Ｂ」、「Ｃ」、「Ｄ」、「Ｅ」、「Ｆ」及び「Ｇ」音にそれぞれ対応する４８６Ｈｚ、５１２Ｈｚ、５７６Ｈｚ、６４８Ｈｚ、７２９Ｈｚ、７６８Ｈｚ及び／又は他の周波数のうなり周波数を用いることができる。
【００４５】
実施例によっては、本体（例えば図６Ａの本体６１）の回転速度を、図４、図５、図６Ａ〜図６Ｂ、図７、図８におけるすべての本体のランナーの周囲に巻き付けられた導電ワイヤに供給される１つ以上の交流における１つ以上の周波数と一致させる、対応させる、かつ／又は他の方法でこれに関連させるように構成することができる。例えば、２１６Ｈｚの交流を、毎秒２１６回転の回転速度と組み合わせることができる。実施例によっては、交流の周波数を回転速度の整数分の一とすることも、及び／又はこの逆にすることもできる。
【００４６】
本明細書に記載するシステムのいずれの用途にも、植物、家畜、試料、組織、幹細胞、生細胞及び／又は他の（有機）物質の成長ならびに／もしくは成長速度への影響、医療用途、治療用途、エネルギー生産、エネルギー変換、エネルギー転換、アデノシン三リン酸（ＡＴＰ）生産、ＡＴＰ輸送、ＡＴＰ処理及び／又は他の用途を含めることができる。
【００４７】
成長の促進には、増加した成長速度、増加した最大成長レベル、増加した最大生産量、成熟又は再生に達する時間の短縮、及び増加した飼料転換率のうちの１つ以上を含めることができる。本明細書に記載するいずれの電気システムを用いても、特定種類の植物の成長速度すなわち典型的な成長速度範囲を、その特定の植物に関してより高い成長速度又は成長速度のより高い範囲に引き上げることができる。成長速度の単位は、インチ／日、又は単位時間当たりの長さ、面積、体積もしくは大きさを表す他の単位、及び／又は他の適当な単位とすることができる。いくつかの実施例では、例えば藻類または適当な同様の植物を用いる実施例では、その成長速度を、脂質生産率(lipid production rate）、デンプン含量生産率(starch content production rate)、バイオマス含量生産率(biomass content production rate)によって表すことが可能である。
【００４８】
例えば、ある特定種類の生物は、大きな電磁場がない生育条件において典型的な最大成長レベルを有する場合がある。本明細書に記載するいずれの電気システムを用いても、その特定種類の生物の最大成長レベル又は典型的な最大成長レベルの範囲を、そのある特定種類の生物に関して、より高い最大成長レベル又は最大成長レベルのより高い範囲に引き上げることができる。最大成長レベルは、インチ、平方インチ、リットル、キログラム、脂質含量、及び／又はある長さ、面積、体積、重量もしくは大きさを表す他の単位、ならびに／又は他の適切な単位で表すことが可能である。
【００４９】
例えば、特定種類の生物は、大きな電磁場がない生育条件において典型的な最大生産量を有する場合がある。本明細書に記載するいずれの電気システムを用いても、その特定種類の生物の最大生産量または典型的な最大生産量の範囲を、その特定の生物に関して、より高い最大生産量又は最大生産量のより高い範囲に引き上げることができる。最大生産量は、単位面積及び／又は単位時間当たりの体積もしくは重量で、例えばキログラム／平方フィートや１エーカー当たり１週間当たりのポンド等で、ならびに／もしくは他の適切な単位で表すことが可能である。
【００５０】
例えば、特定種類の生物は、大きな電磁場がない生育条件において典型的な飼料転換（例えば率又は比）を有する場合がある。本明細書に記載するいずれの電気システムを用いても、その特定種類の生物の最大飼料転換又は典型的な最大飼料転換の範囲を、その特定の生物に関して、より高い最大飼料転換にまたは最大飼料転換のより高い範囲に引き上げることができる。実施例によっては、飼料転換は、生物の質量又は重量に転換される飼料の割合として、及び／又は適宜の他の単位単位で表すことが可能である。
【００５１】
実施例によっては、図４、図５、図６Ａ〜図６Ｂ、図７、図８に示す部品（及び／又はその複数の例）のいずれかを有するシステムを、（放送）アンテナ、（チューナブル）誘導子、（テスラ）コイル、変圧器、変換器、トランジスター、抵抗器、ソレノイド、電気モータ用のステータ、電磁石、電磁パルス生成器、電磁式アクチュエータ、エネルギー変換装置、位置のサーボ機構、ジェネレータ、ステッピングモータ、ＤＣモータ、（非接触）リニアドライブ、アキシャルフラックス装置(axial flux device)、透磁率測定装置、双極子磁石、電子軌道及び／又は粒子軌道を変更する装置、ならびに／もしくはこれらのその任意の組み合わせを含む１つ以上の機能及び／又は用途を実行する部品として電気回路に用いることができる。
【００５２】
図８を参照すると、システム８０は、１つ以上のユーザインターフェース１２０、１つ以上の物理的プロセッサ１１０、電子記憶装置１３０、１つ以上の動力源及び／又は電流源（例えば動力源１２ａ）、入力部品１１１、再生（playback）部品１１２、処理部品１１３、ならびに／もしくは他の部品を有することができる。
【００５３】
実施例によっては、システム８０と同様なシステムは、１つ以上のセンサ（図８には図示せず）を有することができる。この１つ以上のセンサを、情報を伝達する出力信号を生成するように構成することができる。この情報には、電気生理的情報及び／又は他の情報を含めることができる。実施例によっては、この１つ以上のセンサは、オーディオセンサ、マイクロホン、聴診器、圧力センサ、モーションセンサ、近接センサ、電磁気センサ、電極、温度センサ、電流センサ、光学センサ、電気光学センサ、及び／又は他のセンサ、もしくはこれらの組合せのうちの１つ以上を有することができる。実施例によっては、１つ以上のプロセッサ１１０を、情報処理能力を提供するよう、かつ／又は、限定するものではないが入力部品１１１、再生部品１１２、処理部品１１３及び／又は他の部品を含むコンピュータプログラム部品を実現するように構成することができる。１つ以上のセンサ、プロセッサ１１０、ユーザインターフェース１２０、電子記憶装置１３０、入力部品１１１、再生部品１１２及び／又は処理部品１１３の付加的な構造及び／又は特徴は、限定しない例として、発明名称を「電磁場を制御するためにバイオフィードバックを使用する健康用途(Health Applications for Using Bio-Feedback to Control an Electromagnetic Field)」として２０１４年２月２８日に出願された米国特許出願第１４／１９４、４１２号に記載されているとみることができ、その内容全体を参照によって本開示に援用する。この出願をここでは「４１２出願」と呼ぶ場合もある。
【００５４】
実施例によっては、コネクタ４７、４８に供給される１つ以上の電流を、１つ以上のセンサ生成出力信号に対応させることができる。実施例によっては、この１つ以上の電流を、変換器及び／又はシステム８０の１つ以上の他の部品によって生成される１つ以上の信号に対応させることもできる。実施例によっては、本体４０に供給される交流は、搬送信号及び変調信号を含むことができる。実施例によっては、交流に用いられる搬送信号を無線周波数信号とすることもできる。本明細書で用いる「無線周波数」は、約３０ｋＨｚ〜約３０ＧＨｚの周波数とすることができる。実施例によっては、変調信号の周波数を搬送波信号より低くすることができる。例えば、この変調信号を、１０〜１００ＭＨｚの範囲内、１〜１０ＭＨｚの範囲内、１００ｋＨＺ〜１ＭＨｚの範囲内、１０〜１００ｋＨｚの範囲内、可聴範囲内、電話音声範囲内、及び／又は他の適当な範囲内とすることができる。実施例によっては、この交流用変調信号を、振幅変調、周波数変調、位相変調、デジタル変調、及び／又は他のタイプの変調のうちの１つ以上によって変調することができる。本明細書で用いる用語「可聴範囲」は、約２０Ｈｚ〜約２０ｋＨｚの周波数とすることができる。本明細書で用いる用語「電話音声」は、約３００Ｈｚ〜約３３００Ｈｚの周波数とすることができる。
【００５５】
実施例によっては、本体に供給される交流に含まれる１つ以上の周波数は、周波数生成器及び／又は（音楽）器具によって生成される音、音色または和音のオーディオ録音に基づくことができる。例えば、第１の周波数は、中央Ｃ音の上のＡ（Ａ４とも呼ばれるとともに、用いる音階系（チューニングシステム）にもよるが約４３２Ｈｚの周波数の音を含むことができる）を出すピアノの音に基づくことができる。例えば、第２の周波数は、約６４８Ｈｚの周波数の音を含むことができる、Ａ４と協和音程を形成する音を出す何かの器具（例えばピアノ）の音に基づくことができる。このチューニングをピタゴラス音律と呼ぶ場合がある。数学的な完全音律(perfect tuning)は、３：２の比を有する音を組み合わせることができる。限定するものではないが平均律音階(equal tempered tuning)を含む異なるタイプの音律（又は音律系）を用いることができ、それも本開示の範囲内であると見なすことができる。
【００５６】
プロセッサ１１０は、デジタルプロセッサ、アナログプロセッサ、情報を処理するよう設計されたデジタル回路、中央処理部、図形処理部、情報を処理するよう設計されたアナログ回路、及び／又は情報を電子的に処理するための他の機構のうちの１つ以上を有することができる。プロセッサ１１０を単体として図８に示すが、これは例示のみを目的としている。実施例によっては、プロセッサ１１０は複数の処理部を有することができる。
【００５７】
なお、図８において部品１１１〜１１３は単一の処理部内に一緒に配置されているように例示しているが、プロセッサ１１０が複数の処理部を有する実施例においては、部品１１１〜１１３のうちの１つ以上を他の部品から離れた場所に配置できることを理解されたい。本明細書に記載する異なる部品１１１〜１１３によって提供される機能性の記載は、例示のみを目的としており、何をも限定するものではないため、部品１１１〜１１３のうち１つ以上が、記載内容より増減した機能性を提供する可能性もある。例えば、部品１１１〜１１３のうちの１つ以上を省略することもでき、その機能性の一部又はすべてを部品１１１〜１１３の他のものに組み込む、共有する、統合する、かつ／又は部品１１１〜１１３の他の部品によって供給することもできる。なお、プロセッサ１１０を、部品１１１〜１１３のうちの１つによる以下の機能性の一部／又はすべてを実行する１つ以上の追加部品を実行するように構成することもできる。
【００５８】
入力部品１１１を、例えば、１つ以上のデジタル・オーディオ・ファイルから、あるいは、及び／又は同時に、センサ生成される出力信号に基づいて、情報を取得するように構成することができる。実施例によっては、情報を記憶装置、例えば電子記憶装置から取得することができる。記憶装置から得られる情報は、限定するものではないがＭＰ３、ＷＭＡ、ＷＡＶ、ＡＩＦＦ及び／又は他のオーディオフォーマットを含むあらゆるフォーマットの電子オーディオ・ファイルを含むことができる。実施例によっては、情報を、周波数発生器、蓄音機、ＣＤプレーヤー、ＤＶＤプレーヤー、ＡＭラジオ、ＦＭラジオ及び／又は他の音源を含む音源から取得することもできる。
【００５９】
処理部品１１３を、入力部品１１１からの取得情報を処理するように構成することができる。実施例によっては、処理部品１１３を、入力部品１１１からの取得された情報に基づいて、処理信号を生成するように構成することができる。例えば、処理部品１１３は、入力部品１１１からの情報又は信号を変換する、フィルタにかける、変更する、かつ／又はそれ以外の方法で変形して、処理信号を生成することができる。
【００６０】
再生部品１１２を、入力部品１１１からの取得情報及び／又は処理部品１１３からの処理信号の１つ以上に基づいて、音声信号を生成するように構成することができる。再生部品１１２によって生成された音声信号は、誘導電流が音声信号に対応するかつ／又は基づくよう、本体４０の１つ以上のランナーに巻き付けられる１本以上の導電ワイヤのリード／両端に電気的に連結することができる。あるいは、及び／又は同時に、誘導電流を、再生部品１１２によって生成された音声信号によって、かつ／又は基づいて、制御することができる。実施例によっては、再生部品１１２によって生成される音声信号を、１本以上の導電ワイヤのリード／端部に電気的に連結される前に増幅器によって増幅することもできる。いくつかの好ましい実施例において、増幅器を、１００Ｗ〜４００Ｗの範囲内にある音響増幅器とすることができる。他のタイプの増幅器及び／又は異なる出力範囲にある増幅器も考えられる。
【００６１】
図８における電子記憶装置１３０は、情報を電子的に記憶する電子記憶媒体を備える。電子記憶装置１３０の電子記憶媒体は、システム８０と一体的に（つまり、実質的に取外し不能に）備えられているシステム記憶装置、及び／又は例えばポート（例えばＵＳＢポート、Ｆｉｒｅｗｉｒｅポート等）又はドライブ（例えばディスクドライブ等）を通じてシステム８０に接続可能な取外し可能記憶装置の一方又は両方を有することができる。電子記憶装置１３０は、光学可読記憶媒体（例えば光ディスク等）、磁気可読記憶媒体（例えば磁気テープ、磁気ハードドライブ、フロッピードライブ等）、電荷ベースの記憶媒体（例えばＥＰＲＯＭ、ＥＥＰＲＯＭ、ＲＡＭ等）、ソリッドステート記憶媒体（例えばフラッシュドライブ等）、及び／又は他の電子的可読記憶媒体のうちの１つ以上を含むことができる。電子記憶装置１３０は、ソフトウェア・アルゴリズム、プロセッサ１１０によって決定された情報、ユーザインターフェース１２０を介して受け取った情報、及び／又はシステム８０を適切に機能させることができる他の情報を記憶することができる。例えば、電子記憶装置１３０は、音声情報、及び／又は電子オーディオ・ファイル（本明細書の他の箇所に記載）、及び／又は他の情報を記憶することができる。電子記憶装置１３０を、システム８０内の独立部品とすることができる。あるいは、電子記憶装置１３０を、システム８０の１つ以上の他の部品（例えばプロセッサ１１０）と一体的に備えることもできる。
【００６２】
図８におけるシステム８０のユーザインターフェース１２０は、システム８０とユーザ（例えばユーザ１０８、介護人、治療決定者等）との間のインターフェースを提供するように構成される。ユーザインターフェース１２０を通じて、ユーザは、システム８０へ情報を入力すること、そしてシステム８０から情報を受け取ることができる。これにより、データ、結果、及び／又は命令、及び他の通信可能な項目（まとめて「情報」と呼ぶ）をユーザとシステム８０との間で通信することができる。ユーザ１０８に伝達しうる情報の例は、再生部品１１２で生成する音声信号の音量及び／又は強度の表示である。ユーザインターフェース１２０に備えるのに適したインターフェース装置の例には、キーパッド、ボタン、スイッチ、キーボード、ノブ、レバー、表示画面、タッチスクリーン、スピーカー、マイクロホン、表示灯、可聴警報器、及びプリンターが含まれる。情報を、可聴信号、視覚信号、触覚信号及び／又は他の知覚信号の形態でユーザインターフェース１２０によってユーザ１０８に提供することができる。
【００６３】
有線無線にかかわらず他の通信技術も、本明細書ではユーザインターフェース１２０として考えられることは理解されよう。例えば、一実施例において、ユーザインターフェース１２０を、電子記憶装置１３０が提供する取外し可能記憶装置インターフェースと一体化することもできる。この例において、情報は、ユーザがシステム８０をカスタマイズすることを可能にする取外し可能記憶装置（例えばスマート・カード、フラッシュ・ドライブ、リムーバブル・ディスク等）からシステム８０に読み込まれる。この他にユーザインターフェース１２０としてシステム８０とともに用いるのに適した例示的入力装置及び技術には、限定するものではないが、ＲＳ−２３２ポート、ＲＦリンク、ＩＲリンク、モデム（電話、ケーブル、イーサネット(登録商標)、インターネットなど）が含まれる。つまり、情報をシステム８０と通信するためのあらゆる技術がユーザインターフェース１２０として考えられる。
【００６４】
図９は、電磁気作用を提供するための方法９００を示す。以下に示す方法９００の動作は例示のためのものである。ある実施例では、方法９００は、記載していない１つ以上の追加動作とともに、及び／又は記載した１つ以上の動作なしで実行可能である。また、図９に例示し、以下に記載する方法９００の動作の順序は限定を意図するものではない。
【００６５】
特定の実施例では、方法９００を、１つ以上の処理装置（例えば、デジタルプロセッサ、アナログプロセッサ、情報を処理するよう設計されたデジタル回路、情報を処理するよう設計されたアナログ回路、及び／又は情報を電子的に処理するための他の機構）において実施することができる。この１つ以上の処理装置は、電子記憶媒体に電子的に記憶された命令に応じて、方法９００の動作の一部又はすべてを実行する１つ以上の装置を含むことができる。この１つ以上の処理装置は、方法９００の動作の１つ以上を実行するように具体的に設計されたハードウェア、ファームウェア、及び／又はソフトウェアによって構成された１つ以上の装置を含むことができる。
【００６６】
方法９００に関して、動作９０２において、本体を支持構造体によって支持する。この本体は、その支持構造体に対して回転可能である。いくつかの実施形態において、動作９０２は、支持構造体６２（図６Ａに図示し本明細書内に記載）と同一又は同様な支持構造体によって実行される。
【００６７】
動作９０４において、本体を生物の近傍に配置する。この本体は、互いに絡み合うランナーであって、中心を有するトロイダル形状を形成する二重螺旋形状に互いの周囲に螺旋状に巻き付けられる第１のランナー及び第２のランナーを有する。このトロイダル形状は、その中心を含み、かつトロイダル形状を２つの同様な円環状片半分へと分割する平面によって二等分される。この本体はさらに、第１のランナーに渦巻状に巻き付けられる第１の導電ワイヤを有する。いくつかの実施形態において、動作９０４は、本体６１（図６Ａに図示し本明細書内に記載）と同一又は同様な本体によって実行される。
【００６８】
動作９０６において、交流が第１の導電ワイヤから誘導される。いくつかの実施形態において、動作９０６は、動力源１２（図８に図示し本明細書内に記載）と同一又は同様な動力源によって実行される。
【００６９】
動作９０８において、交流の誘導に応じて、生物の成長を促進する電磁気作用を、その生物又は生物の近傍に生成する。いくつかの実施形態において、動作９０８は、本体６１及び／又は４０（図６Ａ及び／又は図８に図示し本明細書内に記載）と同一又は同様な本体によって実行される。
【００７０】
動作９１０において、支持構造体に対して本体を毎秒１回転を超える回転数で回転させる。この本体は、回転軸の周囲で回転可能である。この回転軸は上記平面内に位置する。この回転軸は上記中心と交差する。この本体を、生物がその中心の近傍に位置するように配置する。いくつかの実施形態において、動作９１０は、動力源６３（図６Ａに図示し本明細書内に記載）と同一又は同様な動力源によって実行される。
【００７１】
本発明を、例示の目的で、現時点で最も実際的で最も好ましい実施例と考えられるものに基づいて詳細に説明したが、このような細部はその例示の目的のためのみであって、本発明は開示した上記実施例に限定されるものではなく、それよりもむしろ、添付の特許請求の範囲の精神及び範囲内にある変更及び等価な構成を含むとの意図であると理解されるものである。例えば、本発明は、任意の実施例の１つ以上の特徴の他の実施例のいずれか１つ以上の特徴との組み合わせが可能と考えられると理解される。
【図１】
2018537102.tif 000003
【図２】
2018537102.tif 000004
【図３】
2018537102.tif 000005
【図４】
2018537102.tif 000006
【図５】
2018537102.tif 000007
【図６Ａ】
2018537102.tif 000008
【図６Ｂ】
2018537102.tif 000009
【図７】
2018537102.tif 000010
【図８】
2018537102.tif 000011
【図９】
2018537102.tif 000012
【国際調査報告】
2018537102.tif 000013
2018537102.tif 000014